(57)【要約】 【課題】緊急用医薬品を常時携帯する必要がある狭心症患者等が使用するピルケースと称される医薬品携帯用ケースにおいて、充分な密閉性を確保でき、且つデザインの多様性に容易に対応できると共に、携帯秘匿性に優れたものを提供する。【解決手段】  円筒状にして外周面又は内周面にネジ１１を周設した扁平容器部１２、及び前記扁平容器部の下方周縁に鍔状に設けたベース部１３を備えた本体１と、前記容器部に螺合装着される密閉キャップ体２とで構成されると共に、前記ベース部に腕装着部材の連結部１４を設けてなる。【選択図】図１
0003159574.tif 000002
【実用新案登録請求の範囲】
【請求項１】
円筒状にして外周面又は内周面にネジを周設した扁平容器部、及び前記扁平容器部の下方周縁に鍔状に設けたベース部を備えた本体と、前記容器部に螺合装着される密閉キャップ体とで構成されると共に、前記ベース部に腕装着部材の連結部を設けてなることを特徴とする医薬品携帯用ケース。
【請求項２】
腕装着部材の連結部を、ベース部に適宜間隔に穿設した透孔で形成してなる請求項１記載の医薬品携帯用ケース。
【請求項３】
腕装着部材の連結部を、ベース部の外周縁に形成したバンド装着用の凹部と、凹部対向面に設けた軸孔で形成してなる請求項１記載の医薬品携帯用ケース。
【請求項４】
腕装着部材の連結部を、ベース部の外周縁に突出したバンド装着用の腕部と、腕部対向面に設けた軸孔で形成してなる請求項１記載の医薬品携帯用ケース。
【請求項５】
本体及びキャップ体を純チタン又はチタン合金で形成してなる請求項１乃至４記載の何れかの医薬品携帯用ケース。
【請求項６】
キャップ体の周面及びベース部の外周端面に滑り止めを施してなる請求項１乃至５記載の何れかの医薬品携帯用ケース。
【請求項７】
キャップ体の上面又はベース部の裏面或いは双方に、所望の文字や模様を刻設表示してなる請求項１乃至６記載の何れかの医薬品携帯用ケース。
【考案の詳細な説明】
【技術分野】
【０００１】
本考案は、緊急用医薬品を常時携帯する必要がある狭心症患者等が使用するピルケースと称される医薬品携帯用ケースに関するものである。
【背景技術】
【０００２】
ピルケース（医薬品携帯用ケース）は、化学的に堅牢で且つ軽量な純チタンやチタン合金で、ねじ式の密閉蓋を備えた筒状体に形成され、チェーン等での吊下げ構造となっており、ベンダントのようにして携帯することが一般的である（特許文献１の図１１，１２）。
【０００３】
また前記の特許文献１には、筒状容器に代えてシリコンゴムのＯリングによる容器密閉を実現すると共に、指環としても携帯できる構造の容器も開示されている（特許文献１の図８）。
【０００４】
更に特許文献２には、ピルケースの携帯手段として一部を開口して装着脱可能とした腕輪体の両端に、錠剤収納用容器を設けた携帯容器が開示されている。
【先行技術文献】
【特許文献】
【０００５】
【特許文献１】特開２０００−１８９２２１号公報。
【特許文献２】特開平１０−２３４４５２号公報。
【考案の概要】
【考案が解決しようとする課題】
【０００６】
一般的なペンダント型の携帯様式については、携帯することが外観から視認されてしまい、他人に当該患者であることが知られてしまう。患者によっては、他人に知られたくないと思う者もいる。この対策として、前記の特許文献１，２で開示されているような指環型や腕輪型のものが提案されているが、その大きさや形態から必ずしもアクセサリーとしての自然さを得ることができないし、またその生産性を考慮すると、デザインが画一的になってしまい、使用者の好みのデザインを容易に採用することも困難である。
【０００７】
更に前記の特許文献１，２で開示されているように指環型や腕輪型のものでは、密封性に問題がある。例えば日本には金属を変化させるほどの強い泉質の温泉も知られており、これらの対策としてチタン製のねじ蓋式の筒状容器が採用されているもので、特許文献１，２に開示されているヒンジ様式の開閉蓋を採用している器具では、シリコンゴムの耐久性は勿論のこと、ヒンジの不具合などが生じやすく、密封性に問題がある。
【０００８】
そこで本考案は、充分な密閉性を確保でき、且つデザインの多様性に容易に対応できると共に、携帯秘匿性に優れた新規な医薬品携帯用ケースを提案したものである。
【課題を解決するための手段】
【０００９】
本考案（請求項１）に係る医薬品携帯用ケースは、円筒状にして外周面又は内周面にネジを周設した扁平容器部、及び前記扁平容器部の下方周縁に鍔状に設けたベース部を備えた本体と、前記容器部に螺合装着される密閉キャップ体とで構成されると共に、前記ベース部に腕装着部材の連結部を設けてなることを特徴とするものである。
【００１０】
而して前記の医薬品携帯用ケースは、連結部に所望の腕装着部材を装着して携帯可能とし、容器部内に所定の医薬品を収納してキャップ体で密閉し、医薬品の携帯を実現するもので、外見はブレスレットや腕時計に類似して違和感が無く、且つ腕装着部材を任意に選択することができる。
【００１１】
また本考案（請求項２）に係る医薬品携帯用ケースは、特に腕装着部材の連結部を、ベース部に適宜間隔に穿設した透孔で形成してなるもので、透孔に装飾用チェーンを連結するとブレスレットを装着しているように見られるものである。
【００１２】
また本考案（請求項３，４）に係る医薬品携帯用ケースは、腕装着部材の連結部を、ベース部の外周縁に形成したバンド装着用の凹部と、凹部対向面に設けた軸孔で形成し、或いはベース部の外周縁に突出したバンド装着用の腕部と、腕部対向面に設けた軸孔で形成してなるもので、既存の腕時計用バンドをそのまま使用することができるので、多種多様の既存品から好みのデザインの物を装着使用することができる。
【００１３】
さらに本考案（請求項５）に係る医薬品携帯用ケースは、本体及びキャップ体を純チタン又はチタン合金で形成してなるもので、従前の器具と同様に、軽量且つ堅牢で、耐薬品性に優れた器具となる。
【００１４】
また本考案（請求項６）に係る医薬品携帯用ケースは、キャップ体の周面及びベース部の外周端面に滑り止めを施してなるもので、キャップ体の螺合着脱を行う際に便利である。
【００１５】
更に本考案（請求項７）は、キャップ体の表面又はベース部の裏面或いは双方に、所望の文字や模様を刻設表示してなるもので、使用者を特定する必要事項（氏名、生年月日、血液型等）や任意の装飾表示を施すことで、緊急時の身元確認が容易になされるし、また独自の装飾性を発揮できる器具を提供できる。
【考案の効果】
【００１６】
本考案の構成は上記のとおりで、ネジ構造を採用して確実な密閉携帯を実現し、且つ腕時計やブレスレットのようにして携帯するので、看者の秘匿携帯の希望に沿うことができ、而も既存装飾部材を選択的に使用することで、各人の好みのデザイン要望にも対応できるものである。
【図面の簡単な説明】
【００１７】
【図１】本考案の第一実施形態の全体斜視図。
【図２】同断面図。
【図３】同使用状態の説明図。
【図４】同第二実施形態の腕装着部材の取付説明図（平面図）。
【図５】同全体斜視図断面図。
【図６】同第三実施形態の平面図。
【図７】同使用状態の説明図。
【考案を実施するための形態】
【００１８】
次に本考案の実施形態について説明する。図１乃至３は第一実施形態を示したもので、この実施形態の医薬品携帯用ケースは、それぞれ純チタン又はチタン合金で製造した本体１及び密閉キャップ体２とで構成されるものである。
【００１９】
本体１は、円筒状にして外周面にネジ１１を周設した扁平容器部１２と、前記扁平容器部の下方周縁に、鍔状に設けたベース部１３とを備え、前記ベース部１３には、適宜間隔で透孔（連結部）１４を設けたものである。
【００２０】
更に前記ベース部１３の外周端面１５には、本体１を保持して密閉キャップ体２の螺合着脱操作する際に、滑り止めとなるように凹凸面（リブ様切欠部）を形成し、また扁平容器部１２の下方外周のベース部１３との境界個所に、水封用のＯリング１６を設けてなるものである。尚図示していないが、ベース部13の裏面は平らであるから、使用者のデータを刻設表示しておくこともできる。
【００２１】
密閉キャップ体２は、前記扁平容器部１２のネジ１１に螺合装着されるように内周面にネジ２１を刻設し、外周面にローレット（滑り止め）２２を施し、上面に救急マーク２３を表示したものである。尚上面の裏側には、密閉用（水封用）のパッキン２４を配設しておく。尚前記パッキン２４は、Ｏリング１６を採用する場合には、特に必要が無いが、Ｏリング１６を備えていない場合や、Ｏリング１６が傷んでしまう場合を考慮して、Ｏリング１６と共に採用する方が良い。
【００２２】
而して前記の本体１の透孔１４には、図３に示すように装飾用チェーン（腕装着部材）Ａを連結して、ケース携帯者（患者）の腕に装着可能とするものである。
【００２３】
従ってケース携帯者（患者）は、所定の薬剤を扁平容器部１２に収納して、キャップ体２を装着して密閉保管状態とし、装飾用チェーンＡを使用して患者の腕に取り付けることで、外見上はブレスレットのようにして携帯するものである。勿論前記の透孔１４を使用して長いチェーンを連結して、ブレスレット様にして携帯することもできる。
【００２４】
また図４，５は第二実施形態を示したもので、特に本体１ａのベース部１３ａの外周縁に、矩形に切欠したバンド装着用の凹部（連結部）１４ａを、左右対称に形成すると共に、前記凹部１４ａの対向面に軸孔１７ａを設けたものである。
【００２５】
更にベース部１３ａにおける外周端縁１５ａを、前記凹部１４ａの奥辺と直交する方向に形成した直線縁として、滑り止め保持可能に形成する。
【００２６】
而して時計用等で採用されている既存の金属バンドＢの時計本体連結個所を前記凹部１４ａに収め、軸棒Ｃを使用して本体１ａと金属バンドＢとを連結し、腕時計と同様に患者の腕に装着可能とし、ケース携帯を実現するものである。
【００２７】
従って外見上は腕時計に類似し、医薬品ケースの携帯があまり目立つことが無い。また金属バンドＢは既製品をそのまま採用することができので、患者の要望（好み）に対応することができる。
【００２８】
次に図６，７は第三実施形態を示したもので、特に本体１ｂのベース部１３ｂの外周縁に、バンド装着用の一対の腕部１４ｂを、左右対称に突設すると共に、各腕部１４ｂの対向面に軸孔１７ｂを設けたものである。また外周端縁１５ｂは、滑り止め粗面に形成したものである。
【００２９】
而して時計用等で採用されている既存の皮バンド（樹脂バンド）Ｃの時計本体連結個所を前記腕部１４ｂ間に差し入れ、軸棒Ｃを使用して本体１ｂと皮バンドＣとを連結し、腕時計と同様に患者の腕に装着して携帯するものである。
【００３０】
従って前記第二実施形態と同様に、外見上は腕時計に類似し、医薬品ケースの携帯があまり目立つことが無い。また皮バンド（樹脂バンドも含む）Ｃは既製品をそのまま採用することができるので、患者の要望（好み）に対応することができる。
【００３１】
尚本考案は、前記の実施形態に限定されるものではなく、例えばキャップ体の本体への装着構造を、容器部内周面にネジを刻設し、キャップ体を容器部内に差し入れる部分の外周にネジを刻設する構造としても良い。
【００３２】
また材質についても特に純チタンやチタン合金に限定されるものではなく、その他の金属材や、硬質プラスチック等を採用しても良い。
【００３３】
更にキャップ体の上面の救急マークに代えて、装飾性の高い模様を表示するようにしても良いし、またキャップ体の外周面にも適宜他の模様を表示するようにしても良い。
【符号の説明】
【００３４】
１，１ａ，１ｂ  本体
１１    ネジ
１２    扁平容器部
１３，１３ａ，１３ｂ  ベース部
１４      透孔（連結部）
１４ａ    凹部（連結部）
１４ｂ    腕部（連結部）
１５，１５ａ，１５ｂ  外周端縁
１６      Ｏリング
１７ａ，１７ｂ  軸孔
２        密閉キャップ体
２１      ネジ
２２      ローレット（滑り止め）
２３      救急マーク
２４      パッキン
【図１】
0003159574.tif 000003
【図２】
0003159574.tif 000004
【図３】
0003159574.tif 000005
【図４】
0003159574.tif 000006
【図５】
0003159574.tif 000007
【図６】
0003159574.tif 000008
【図７】
0003159574.tif 000009